(57)【特許請求の範囲】
【請求項１】
利用者の行動に関する環境負荷物質の排出量を計算する計算部と、
前記行動に関する第１の画像の入力を前記利用者から受け付ける画像入力部と、
前記排出量のオフセットに係る処理を行うオフセット処理部と、
前記オフセットを行ったことを示す第２の画像であって、前記オフセットを行った前記排出量、前記オフセットを実施した主体、前記オフセットに係る環境価値の内容の少なくともいずれかを表示する前記第２画像を生成する画像生成部と、
前記第１の画像に前記第２の画像を合成した第３の画像を生成する画像合成部と、
前記第３の画像を送信する送信部と、
を備えることを特徴とする情報処理装置。
【請求項２】
請求項１に記載の情報処理装置であって、
前記送信部は、前記第３の画像をソーシャルネットワークに投稿すること、
を特徴とする情報処理装置。
【請求項３】
請求項１又は２に記載の情報処理装置であって、
前記画像生成部は、前記オフセットした前記環境負荷物質の量、前記オフセットを実施した主体、前記オフセットに係る環境価値の内容の少なくともいずれかを表示する背景透過画像を前記第２の画像として作成すること、
を特徴とする情報処理装置。
【請求項４】
利用者の行動に関する環境負荷物質の排出量を計算するステップと、
前記行動に関する第１の画像の入力を前記利用者から受け付けるステップと、
前記排出量のオフセットに係る処理を行うステップと、
前記オフセットを行ったことを示す第２の画像であって、前記オフセットを行った前記排出量、前記オフセットを実施した主体、前記オフセットに係る環境価値の内容の少なくともいずれかを表示する前記第２画像を生成するステップと、
前記第１の画像に前記第２の画像を合成した第３の画像を生成するステップと、
前記第３の画像を送信するステップと、
をコンピュータが実行する方法。
【請求項５】
利用者の行動に関する環境負荷物質の排出量を計算するステップと、
前記行動に関する第１の画像の入力を前記利用者から受け付けるステップと、
前記排出量のオフセットに係る処理を行うステップと、
前記オフセットを行ったことを示す第２の画像であって、前記オフセットを行った前記排出量、前記オフセットを実施した主体、前記オフセットに係る環境価値の内容の少なくともいずれかを表示する前記第２画像を生成するステップと、
前記第１の画像に前記第２の画像を合成した第３の画像を生成するステップと、
前記第３の画像を送信するステップと、
をコンピュータに実行させるためのプログラム。
【発明の詳細な説明】
【技術分野】
【０００１】
本発明は、情報処理装置、方法及びプログラムに関する。
【背景技術】
【０００２】
特許文献１には温室効果ガスの排出権をクレジット化したものの管理を行うシステムが開示されている。
【先行技術文献】
【特許文献】
【０００３】
【特許文献１】特許第６６２５２９８号明細書
【発明の概要】
【発明が解決しようとする課題】
【０００４】
しかしながら、利用者が排出量をオフセットしたことを知らせる仕組みがない。
【０００５】
本発明はこのような背景を鑑みてなされたものであり、環境負荷物質の排出量をオフセットしたことを知らせることのできる技術を提供することを目的とする。
【課題を解決するための手段】
【０００６】
上記課題を解決するための本発明の主たる発明は、情報処理装置であって、利用者の行動に関する環境負荷物質の排出量を計算する計算部と、前記排出量のオフセットに係る処理を行うオフセット処理部と、前記行動に関する第１の画像の入力を受け付ける画像入力部と、前記オフセットを行ったことを示す第２の画像を生成する画像生成部と、前記第１及び第２の画像を合成する画像合成部と、を備えることを特徴とする。
【０００７】
その他本願が開示する課題やその解決方法については、発明の実施形態の欄及び図面により明らかにされる。
【発明の効果】
【０００８】
本発明によれば、環境負荷物質の排出量をオフセットしたことを知らせることができる。
【図面の簡単な説明】
【０００９】
【図１】本発明の一実施形態に係るオフセット支援システムの全体構成例を示す図である。
【図２】サーバ装置２０のハードウェア構成例を示す図である。
【図３】サーバ装置２０のソフトウェア構成例を示す図である。
【図４】本実施形態のサーバ装置２０の動作を説明する図である。
【図５】合成画像の生成を説明する図である。
【発明を実施するための形態】
【００１０】
＜発明の概要＞
本発明の実施形態の内容を列記して説明する。本発明は、たとえば、以下のような構成を備える。
［項目１］
利用者の行動に関する環境負荷物質の排出量を計算する計算部と、
前記排出量のオフセットに係る処理を行うオフセット処理部と、
前記行動に関する第１の画像の入力を受け付ける画像入力部と、
前記オフセットを行ったことを示す第２の画像を生成する画像生成部と、
前記第１及び第２の画像を合成する画像合成部と、
を備えることを特徴とする情報処理装置。
［項目２］
項目１に記載の情報処理装置であって、
前記第１及び第２の画像を合成した第３の画像をソーシャルネットワークに投稿する投稿部をさらに備えること、
を特徴とする情報処理装置。
［項目３］
項目１又は２に記載の情報処理装置であって、
前記画像生成部は、前記オフセットした前記環境負荷物質の量、前記オフセットを実施した主体、前記オフセットに係る環境価値の内容の少なくともいずれかを表示する背景透過画像を作成すること、
を特徴とする情報処理装置。
［項目４］
利用者の行動に関する環境負荷物質の排出量を計算するステップと、
前記排出量のオフセットに係る処理を行うステップと、
前記行動に関する第１の画像の入力を受け付けるステップと、
前記オフセットを行ったことを示す第２の画像を生成するステップと、
前記第１及び第２の画像を合成するステップと、
をコンピュータが実行する方法。
［項目５］
利用者の行動に関する環境負荷物質の排出量を計算するステップと、
前記排出量のオフセットに係る処理を行うステップと、
前記行動に関する第１の画像の入力を受け付けるステップと、
前記オフセットを行ったことを示す第２の画像を生成するステップと、
前記第１及び第２の画像を合成するステップと、
をコンピュータに実行させるためのプログラム。
【００１１】
＜システム概要＞
以下、本発明の一実施形態に係るオフセット支援システムについて説明する。本実施形態のオフセット支援システムは、利用者が環境負荷物質をオフセットすることを支援する。本実施形態では、環境負荷物質は、二酸化炭素（ＣＯ２）を想定する。本実施形態のオフセット支援システムでは、利用者のＣＯ２排出を伴う行動に係るＣＯ２排出量を計算する。ＣＯ２排出を伴う行動には、例えば、交通機関の利用や、ＥＣサイトでの物品の購入などが含まれうる。交通機関の利用では、例えば、内燃機関の燃焼によりＣＯ２が排出され、ＥＣサイトでの物品の購入では、物品の配送時にトラック等からＣＯ２が排出される。本実施形態のオフセット支援システムはまた、ＣＯ２排出量をオフセットすることができる。環境負荷物質のオフセットは、例えば、Ｊ−クレジットなどのオフセット権（環境価値）を購入することにより行うことができる。
【００１２】
本実施形態のオフセット支援システムではさらに、上記のようなＣＯ２排出を伴う行動に係る写真等の画像（第１の画像）に合成するための画像（第２の画像。以下、フレーム画像という。）を生成する。フレーム画像は、利用者の行ったオフセットに関連する情報が描画された、背景が透明な画像とすることができる。オフセット支援システムは、フレーム画像を、利用者の写真等の画像に合成することで、行動に関連するＣＯ２排出量がオフセットされたことを示す画像（第３の画像。以下、合成画像という。）を作成することができる。本実施形態のオフセット支援システムではさらに、合成画像をソーシャルネットワークサービスに投稿することができる。
【００１３】
＜システム構成＞
図１は、本発明の一実施形態に係るオフセット支援システムの全体構成例を示す図である。本実施形態のオフセット支援システムは、サーバ装置２０を含んで構成される。サーバ装置２０は、利用者端末１０及びＳＮＳサーバ３０のそれぞれと通信ネットワーク４０を介して通信可能に接続される。通信ネットワーク４０は、たとえばインターネットであり、公衆電話回線網や携帯電話回線網、無線通信路、イーサネット（登録商標）などにより構築される。
【００１４】
利用者端末１０は、利用者が操作するスマートフォンやタブレットコンピュータ、パーソナルコンピュータなどのコンピュータである。利用者は、ＣＯ２のオフセットを行うべく利用者端末１０を操作してサーバ装置２０にアクセスすることができる。また、利用者端末１０は、例えば、カメラ機能を備え、撮影を行うこともできる。
【００１５】
サーバ装置２０は、利用者の行動に係るＣＯ２の排出量を計算し、ＣＯ２のオフセットを行うコンピュータである。サーバ装置２０は、例えばワークステーションやパーソナルコンピュータのような汎用コンピュータとしてもよいし、あるいはクラウド・コンピューティングによって論理的に実現されてもよい。
【００１６】
ＳＮＳサーバ３０は、ソーシャルネットワークサービスを提供するコンピュータである。利用者端末１０及びサーバ装置２０はＳＮＳサーバ３０が提供するＡＰＩを利用することにり、ソーシャルネットワークサービスにメッセージを投稿することができる。
【００１７】
＜サーバ装置２０＞
図２は、サーバ装置２０のハードウェア構成例を示す図である。なお、図示された構成は一例であり、これ以外の構成を有していてもよい。管理サーバ２は、ＣＰＵ２０１、メモリ２０２、記憶装置２０３、通信インタフェース２０４、入力装置２０５、出力装置２０６を備える。記憶装置２０３は、各種のデータやプログラムを記憶する、例えばハードディスクドライブやソリッドステートドライブ、フラッシュメモリなどである。通信インタフェース２０４は、通信ネットワーク３に接続するためのインタフェースであり、例えばイーサネット（登録商標）に接続するためのアダプタ、公衆電話回線網に接続するためのモデム、無線通信を行うための無線通信機、シリアル通信のためのＵＳＢ（Universal Serial Bus）コネクタやＲＳ２３２Ｃコネクタなどである。入力装置２０５は、データを入力する、例えばキーボードやマウス、タッチパネル、ボタン、マイクロフォンなどである。出力装置２０６は、データを出力する、例えばディスプレイやプリンタ、スピーカなどである。後述するサーバ装置２０が備える各機能部は、ＣＰＵ２０１が記憶装置２０３に記憶されているプログラムをメモリ２０２に読み出して実行することにより実現することができる。また、サーバ装置２０が備える各記憶部は、メモリ２０２及び記憶装置２０３が提供する記憶領域の一部として実現することができる。
【００１８】
図３は、サーバ装置２０のソフトウェア構成例を示す図である。サーバ装置２０は、排出量計算部２１１、オフセット処理部２１２、画像入力部２１３、画像生成部２１４、画像合成部２１５、投稿部２１６の各機能部と、行動情報記憶部２３１、環境価値情報記憶部２３２の各記憶部とを備える。
【００１９】
排出量計算部２１１は、利用者の行動に関する環境負荷物質の排出量を計算する。排出量計算部２１１は、例えば、温室効果ガス（ＧＨＧ：Green House Gas）プロトコルにより計算することができる。排出量計算部２１１は、利用者のＣＯ２排出を伴う行動に関する情報（行動情報）を取得する。行動情報には、行動の日時、行動の種類、当該行動に係る活動量などが含まれる。行動情報は、行動情報記憶部２３１に登録される。行動情報記憶部２３１には、行動を一意に識別する行動ＩＤと、利用者を特定する利用者ＩＤとに対応付けて、行動情報（日時、行動の種類、活動量）が記憶される。排出量計算部２１１は、例えば、利用者端末１０から行動情報を受信するようにしてもよいし、利用者に対して商品を販売し、サービスを提供した事業者（例えば、交通機関のサーバやＥＣサイトなど）から行動情報を取得するようにしてもよい。排出量計算部２１１は、取得した活動量に、ＧＨＧプロトコルに規定される排出係数を乗じて排出量を算出することができる。
【００２０】
オフセット処理部２１２は、ＣＯ２排出量のオフセットに係る処理を行う。排出量のオフセットは、例えば、Ｊ−クレジットなどの環境価値を利用者又は商品やサービスを提供した事業者に代わって購入することにより行うことができる。オフセット処理部２１２は、例えば、環境価値の取引を行う外部サーバ（不図示）にアクセスして、外部サーバが提供するＡＰＩを利用して環境価値を購入することができる。オフセット処理部２１２は、排出量に対応する量の環境価値を都度購入するようにしてもよいし、サーバ装置２０（の運営者、システムの運営者などの代理無効化を行う主体）が事前に環境価値を購入しておき、代理無効化を行うようにしてもよい。代理無効化を行う場合、環境価値情報記憶部２３２は、代理無効化の主体が有する環境価値の量を記憶するようにし、オフセット処理部２１２は、代理無効化を行うごとに、上記主体が有する環境価値の量を減らし、移転先に対応付けて代理無効化に係る環境価値の量（排出量）を環境価値情報記憶部２３２に登録することができる。
【００２１】
購入した環境価値に関する情報は、環境価値情報記憶部２３２に登録される。環境価値情報記憶部２３２には、利用者ＩＤと、行動を特定する行動ＩＤとに対応付けて、環境価値を購入した日時、オフセット対象となったＣＯ２の排出量、購入した環境価値の種類（銘柄）、環境価値の提供者（あるいは販売者）、購入した環境価値の量、購入した環境価値の価格などを記憶することができる。
【００２２】
画像入力部２１３は、ＣＯ２排出を伴う行動に関するユーザ画像（第１の画像）の入力を受け付ける。ユーザ画像は、例えば、利用者端末１０が備えるカメラ（不図示）が撮影した画像としてもよいし、利用者端末１０が他のコンピュータから取得した画像としてもよいし、利用者端末１０の画面のスクリーンショットとしてもよいし、ＥＣサイトが提供する購入した商品の画像としてもよい。つまり、ユーザ画像は利用者が準備する任意の画像とすることができる。なお、ユーザ画像は動画像であってもよい。
【００２３】
画像生成部２１４は、ＣＯ２排出量のオフセットを行ったことを示すフレーム画像（第２の画像）を生成する。上述したように、本実施形態では、フレーム画像は背景透過画像であるものとする。画像生成部２１４は、例えば、行動情報、算出した排出量、購入した環境価値に関する情報を文字列として透明画像に描画することができる。画像生成部２１４はまた、任意のロゴやアイコンなどの画像をフレーム画像に描画するようにしてもよい。本実施形態では、画像生成部２１４は、オフセットした環境負荷物質（ＣＯ２）の量、オフセットを実施した主体（提供者、販売者）、オフセットに係る環境価値の内容（種類、購入量、価格、日時など）の少なくともいずれかを表示する背景透過画像を作成するものとする。
【００２４】
画像合成部２１５は、ユーザ画像とフレーム画像とを合成して合成画像（第３の画像）を生成する。
【００２５】
投稿部２１６は、合成画像をＳＮＳサーバ３０に送信して、合成画像をソーシャルネットワークサービスに投稿することができる。投稿部２１６は、利用者端末１０からユーザ画像についての文字列のメッセージを受け付けて、受け付けたメッセージとともに、合成画像をソーシャルネットワークサービスに投稿することができる。
【００２６】
＜動作＞
図４は、本実施形態のサーバ装置２０の動作を説明する図である。図５は、合成画像の生成を説明する図である。
【００２７】
排出量計算部２１１は、利用者端末１０から行動情報を受信する（Ｓ３０１）。排出量計算部２１１は、活動量に排出係数を乗じてＣＯ２排出量を算出する（Ｓ３０２）。オフセット処理部２１２は、算出したＣＯ２排出量に応じて環境価値を購入し、ＣＯ２排出量をオフセットする（Ｓ３０３）。なお、オフセット処理部２１２は、上述したように代理無効化を行うようにしてもよい。
【００２８】
画像入力部２１３は、利用者端末１０からユーザ画像を受信する（Ｓ３０４）。図５では、ユーザ画像４１が観光地におけるスナップ写真である例を示している。画像生成部２１４は、オフセットに関する情報を描画したフレーム画像を生成する（Ｓ３０５）。図５の例では、「１０ｇ」のＣＯ２排出量をオフセットした旨と、オフセットを行った日時とがフレーム画像４２に描画されている。画像合成部２１５は、ユーザ画像４１にフレーム画像４２を重畳させるように合成して合成画像４３を作成する（Ｓ３０６）。図５に示すように、合成画像４３では、観光地におけるスナップ写真に、１０ｇのＣＯ２がオフセットされたことを示す情報が描画されることになる。
【００２９】
投稿部２１６は、合成画像４３をＳＮＳサーバ３０に送信して、合成画像４３をソーシャルネットワークサービスに投稿する（Ｓ３０７）。なお、上述したように、投稿部２１６は、テキストメッセージを利用者端末１０から受信して、テキストメッセージとともに合成画像４３をソーシャルネットワークサービスに投稿するようにしてもよい。
【００３０】
以上のようにして、本実施形態のオフセット支援システムによれば、利用者からＣＯ２排出を伴う行動に関する行動情報を受け付けて、行動情報（活動量）に応じた環境負荷物質の排出量を自動的に算出するとともに、算出した排出量に対応する環境価値を購入し、あるいは代理無効化の処理を行い、自動的にオフセットを行うことができる。また、本実施形態のオフセット支援システムによれば、オフセットしたことを示すフレーム画像をユーザ画像に合成してソーシャルネットワークサービスに投稿することで、利用者の行動に係る環境負荷物質がオフセットされたことを、利用者につながりのある人に知らせることができる。
【００３１】
以上、本実施形態について説明したが、上記実施形態は本発明の理解を容易にするためのものであり、本発明を限定して解釈するためのものではない。本発明は、その趣旨を逸脱することなく、変更、改良され得ると共に、本発明にはその等価物も含まれる。
【００３２】
例えば、本実施形態では、サーバ装置２０によりソーシャルネットワークサービスへの合成画像の投稿を行うものとしたが、これに限らず、サーバ装置２０から利用者端末１０にフレーム画像を送信するようにし、利用者端末１０側でユーザ画像とフレーム画像とを合成してＳＮＳサーバ３０に投稿するようにしてもよい。
【００３３】
また、本実施形態では、行動情報を利用者端末１０から取得するものとしたが、これに限らず、ＥＣサイトや旅行サイトなどのサービス提供元のサーバから行動情報（活動量）を取得するようにしてもよい。また、利用者端末１０側で排出量の計算を行い、サーバ装置２０は計算結果を受信するようにしてもよい。
【符号の説明】
【００３４】
１０    利用者端末
２０    サーバ装置
３０    ＳＮＳサーバ
４０    通信ネットワーク
２１１  排出量計算部
２１２  オフセット処理部
２１３  画像入力部
２１４  画像生成部
２１５  画像合成部
２１６  投稿部
２３１  行動情報記憶部
２３２  環境価値情報記憶部
【要約】      （修正有）【課題】環境負荷物質の排出量をオフセットしたことを知らせることができるようにする情報処理装置、方法及びプログラムを提供する。【解決手段】オフセット支援システムにおいて、情報処理装置２０は、利用者の行動に関する環境負荷物質の排出量を計算する排出量計算部と、排出量のオフセットに係る処理を行うオフセット処理部と、行動に関する第１の画像の入力を受け付ける画像入力部と、オフセットを行ったことを示す第２の画像を生成する画像生成部と、第１及び第２の画像を合成する画像合成部と、を備える。【選択図】図１【図１】
0006933417.tif 000002
【図２】
0006933417.tif 000003
【図３】
0006933417.tif 000004
【図４】
0006933417.tif 000005
【図５】
0006933417.tif 000006